(57)【要約】【課題】隣接ノイズが存在する場合でも、ＰＩ取得率を向上させることができるＲＤＳ受信機を提供すること。【解決手段】ＲＤＳ受信機１００は、ＦＭ放送信号を受信するアンテナ部と１１０と、ＦＭ放送信号を中間周波数信号に変換するフロントエンド部１２０と、中間周波数信号を所定のフィルタ帯域幅で帯域制限してフィルタ出力信号を出力する、フィルタ帯域幅が可変な可変ＩＦフィルタ部１３０と、フィルタ出力信号をＦＭ検波するＦＭ検波部１４０と、ＦＭ検波された信号を復調して代替局のＰＩコードを取得するＲＤＳ復調部１６０と、ＦＭ検波された信号から代替局に隣接する局の信号を抽出し、その信号の隣接ノイズ値を検出する隣接ノイズ検出部１５０と、ＲＤＳ復調部１６０が代替局のＰＩコードを取得するとき、隣接ノイズ値に応じて、可変ＩＦフィルタ部１３０のフィルタ帯域幅を変化させるＣＰＵ１９０とを備える。【選択図】図１
2009200951.tif 000002
【特許請求の範囲】
【請求項１】
ＦＭ放送信号を受信するアンテナ部と、
前記アンテナ部で受信されたＦＭ放送信号を中間周波数信号に変換するフロントエンド部と、
前記フロントエンド部により出力された中間周波数信号を所定のフィルタ帯域幅で帯域制限してフィルタ出力信号を出力する、フィルタ帯域幅が可変な可変ＩＦフィルタ部と、
前記可変ＩＦフィルタ部により出力されたフィルタ出力信号をＦＭ検波するＦＭ検波部と、
前記ＦＭ検波部によりＦＭ検波された信号を復調して代替局のＰＩコードを取得するＲＤＳ復調部と、
前記ＦＭ検波部によりＦＭ検波された信号から代替局に隣接する局の信号を抽出し、その信号の隣接ノイズ値を検出する隣接ノイズ検出部と、
前記可変ＩＦフィルタ部のフィルタ帯域幅を変化させる制御部とを備え、
前記制御部は、前記ＲＤＳ復調部が代替局のＰＩコードを取得するとき、前記隣接ノイズ検出部により出力された隣接ノイズ値に応じて、前記可変ＩＦフィルタ部のフィルタ帯域幅を変化させることを特徴とするＲＤＳ受信機。
【請求項２】
前記制御部は、前記隣接ノイズ検出部により出力された隣接ノイズ値が所定値以上のとき、前記可変ＩＦフィルタ部のフィルタ帯域幅を、代替局の希望波の中心周波数を含む第１のフィルタ帯域幅とし、前記隣接ノイズ検出部により出力された隣接ノイズ値が所定値未満のとき、前記可変ＩＦフィルタ部のフィルタ帯域幅を、前記第１のフィルタ帯域幅よりも広い第２のフィルタ帯域幅とすることを特徴とする請求項１記載のＲＤＳ受信機。
【請求項３】
前記第１のフィルタ帯域幅は、前記フロントエンド部により出力された中間周波数信号のうち、代替局のＰＩコードが送信される中間周波数信号が含まれるフィルタ帯域幅であることを特徴とする請求項２記載のＲＤＳ受信機。
【請求項４】
前記ＦＭ検波部により出力された検波信号を復調して音声信号を出力するＭＰＸ復調部と、
前記ＲＤＳ復調部が代替局のＰＩコードを取得するとき、前記ＭＰＸ復調部により出力された音声信号をミュートするミュート部と、
前記音声信号を音声出力するスピーカ部とを更に備えることを特徴とする請求項１記載のＲＤＳ受信機。
【請求項５】
前記制御部は、前記隣接ノイズ検出部が前記ＦＭ検波部により出力された検波信号から代替局に隣接する局の検波信号を抽出するとき、前記可変ＩＦフィルタ部のフィルタ帯域幅を代替局に隣接する局の中間周波数信号を含むフィルタ帯域幅に制御することを特徴とする請求項１に記載のＲＤＳ受信機。
【発明の詳細な説明】
【技術分野】
【０００１】
本発明は、ＲＤＳデータを受信するＲＤＳ受信機に関する。
【背景技術】
【０００２】
ラジオデータシステム（ＲＤＳ：radio data system）は、ＦＭ放送において、放送局や放送内容に関する付加的な情報をＲＤＳデータとしてＦＭ放送信号に多重化し、ＦＭ放送の受信側に提供するサービスである。サービスの一例としては、選局中の放送局で放送されている楽曲の曲名をＦＭ放送受信機（以下「ＲＤＳ受信機」という）に表示することなどがある。近年、このＲＤＳデータを受信することが可能なＦＭ放送受信機の普及がヨーロッパ、アメリカ等で進んでいる。
【０００３】
ＲＤＳでは、同じ放送内容が複数の周波数帯にて放送されている。例えば、車両に搭載されたＲＤＳ受信機の受信状態が車両の移動によって悪化しても、ＲＤＳ受信機は、受信中の周波数と異なる周波数で同一の放送内容が放送されている放送局（以下「代替局」という）から、受信品質の良好な代替放送局を探し出し、切り替えを行う。このとき、ＲＤＳ受信機はＲＤＳデータに基づいて放送局の切り替えを行う。
【０００４】
ＲＤＳデータには、代替局が放送されている周波数（以下「代替周波数」という）と、その代替局のＰＩ（program identification）コードとを記述した、ＡＦ（alternative frequency）リストが含まれている。ＰＩコードは放送局を識別するコードであり、同一の放送内容を放送する放送局には同一のＰＩコードが割り当てられる。ＲＤＳ受信機は、受信中のＦＭ放送から予めＡＦリストを取得し、信号の受信品質が悪化した場合、ＡＦリストに基づいて受信品質の良好な代替局に切り替えることができる。
【０００５】
ＲＤＳ受信機は、代替局に切り替える際に、ＡＦ動作を行う。ＡＦ動作とは、ＡＦリストに記述された代替周波数の中から、信号の受信品質の良好な代替周波数をサーチして、サーチされた代替周波数に切り替える動作である。ＡＦ動作は、「ＡＦチェック」および「ＰＩチェック」の２つの処理で構成される。「ＡＦチェック」とは、代替周波数で送信されるＦＭ放送信号の電界強度の大きさを検出し、その大きさが閾値以上のとき、更に代替局からＲＳＤデータを取得可能であるか否かを確認する処理である。また、「ＰＩチェック」とは、現在受信中の放送局のＰＩコードと、ＡＦリストに記述された代替局のＰＩコードとが一致するか否かを確認する処理である。
【０００６】
従来のＲＤＳ受信機は、広い通過帯域を有する広帯域フィルタ部と、狭い通過帯域を有する狭帯域フィルタ部とを備えている。従来のＲＤＳ受信機は、ＰＩチェック時に強制的に広帯域フィルタ部を用いていた（例えば、特許文献１参照）。
【特許文献１】特開平６−２３２７７６号公報
【発明の開示】
【発明が解決しようとする課題】
【０００７】
しかしながら、特許文献１記載のＲＤＳ受信機では、ＰＩチェック時に強制的に広帯域フィルタ部を用いるため、代替局に隣接する放送局の放送信号により発生するノイズ（以下「隣接ノイズ」という）が存在する場合、ＰＩコード取得率が下がるという問題がある。
【０００８】
ＰＩチェックの間は、受信中であったＦＭ放送信号の受信が途切れる。この際、音声が途切れた状態となるため、聴感上、ユーザが気付かない程度のごく短時間でＰＩチェックが完了する必要がある。隣接ノイズによりＰＩコード取得率が下がると、短時間でＰＩチェックが完了しなくなってしまう。したがって、ＰＩチェックを短時間で完了するためには、ＰＩコード取得率を上げることが望まれている。
【０００９】
本発明は、隣接ノイズが存在する場合でも、ＰＩコード取得率を向上させることができるＲＤＳ受信機を提供することを目的とする。
【課題を解決するための手段】
【００１０】
本発明は、ＦＭ放送信号を受信するアンテナ部と、前記アンテナ部で受信されたＦＭ放送信号を中間周波数信号に変換するフロントエンド部と、前記フロントエンド部により出力された中間周波数信号を所定のフィルタ帯域幅で帯域制限してフィルタ出力信号を出力する、フィルタ帯域幅が可変な可変ＩＦフィルタ部と、前記可変ＩＦフィルタ部により出力されたフィルタ出力信号をＦＭ検波するＦＭ検波部と、前記ＦＭ検波部によりＦＭ検波された信号を復調して代替局のＰＩコードを取得するＲＤＳ復調部と、前記ＦＭ検波部によりＦＭ検波された信号から代替局に隣接する局の信号を抽出し、その信号の隣接ノイズ値を検出する隣接ノイズ検出部と、前記可変ＩＦフィルタ部のフィルタ帯域幅を変化させる制御部とを備え、前記制御部は、前記ＲＤＳ復調部が代替局のＰＩコードを取得するとき、前記隣接ノイズ検出部により出力された隣接ノイズ値に応じて、前記可変ＩＦフィルタ部のフィルタ帯域幅を変化させるＲＤＳ受信機である。
【発明の効果】
【００１１】
本発明によれば、隣接ノイズ値に応じて可変ＩＦフィルタ部のフィルタ帯域幅を変化させるので、隣接ノイズが存在する場合でも、ＰＩコード取得率を向上させることができる。
【発明を実施するための最良の形態】
【００１２】
以下、本発明の一実施の形態について、図面を参照して詳細に説明する。
【００１３】
図１は、本発明の一実施の形態に係るＲＤＳ受信機の構成を示すシステム構成図である。
【００１４】
図１において、ＲＤＳ受信機１００は、アンテナ部１１０、フロントエンド部１２０、可変ＩＦフィルタ部１３０、ＦＭ検波部１４０、隣接ノイズ検出部１５０、ＲＤＳ復調部１６０、ＲＯＭ（read only memory）１７０、ＲＡＭ（random access memory）１８０、ＣＰＵ（central processing unit）１９０、ＭＰＸ（multiplex）復調部２００、ミュート部２１０、スピーカ部２２０、表示装置２３０、および操作部２４０を有する。
【００１５】
アンテナ部１１０は、ＦＭ多重されたＦＭ放送信号を受信する。
【００１６】
フロントエンド部１２０は、アンテナ部１１０で受信されたＦＭ放送信号のうち、ユーザにより指定された放送局または予め定められた放送局のＦＭ放送信号を、中間周波数（ＩＦ：intermediate frequency）信号に変換する。
【００１７】
可変ＩＦフィルタ部１３０は、フロントエンド部１２０により変換された中間周波数信号を、所定のフィルタ帯域幅で帯域制限し、フィルタ出力信号を出力する。可変ＩＦフィルタ部１３０のフィルタ帯域幅は可変であり、ＣＰＵ１９０により制御される。
【００１８】
ＦＭ検波部１４０は、可変ＩＦフィルタ部１３０により出力されたフィルタ出力信号をＦＭ検波し、検波信号を出力する。また、ＦＭ検波部１４０は、ＲＤＳ受信機１００のＡＦ動作時に、所定の放送局の放送されている周波数帯域にある検波信号（以下「希望波」）の電界強度を検出する。
【００１９】
隣接ノイズ検出部１５０は、ＦＭ検波部１４０により出力された検波信号から、隣接ノイズの電界強度（以下適宜「隣接ノイズ値」という）の検出を行う。以下、隣接ノイズとは、隣接する他の放送局のＦＭ放送信号によるノイズに限らず、希望波近傍に存在するノイズをいうものとする。
【００２０】
隣接ノイズ検出部１５０は、バンドパスフィルタ（ＢＰＦ：bandpass filter）部１５１および電界強度測定部１５２を有する。バンドパスフィルタ部１５１は、ＦＭ検波部１４０により出力された検波信号から、隣接ノイズの検出の対象となる周波数帯域（以下「ノイズ検出帯域」という）にある検波信号を取り出す。
【００２１】
電界強度測定部１５２は、ノイズ検出帯域にある検波信号の電界強度を測定し、測定結果を、隣接ノイズ値として出力する。
【００２２】
ＲＤＳ復調部１６０は、ＦＭ検波部１４０から出力された検波信号から、ＲＤＳデータを抽出するための復調およびデコードの処理を行う。ＲＤＳデータには、代替周波数をリスト化したＡＦリストと、ＰＩコードとが含まれる。
【００２３】
ＲＯＭ１７０は、ＣＰＵ１９０が実行する各種制御プログラムが予め格納されている。ＣＰＵ１９０は、ＲＯＭ１７０に記憶された制御プログラムをＲＡＭ１８０に読み込み、実行することによって各部を制御する。また、ＲＯＭ１７０には、ＡＦ動作選択テーブル、ＰＩチェック選択テーブル、およびＩＦフィルタ選択テーブルが予め記憶されている。ＡＦ動作選択テーブルには、ＡＦ動作を開始するか否かを選択するための判定基準となる数値が記述されている。ＰＩチェック選択テーブルには、ＰＩチェックを実行するか否かを選択するための判定基準となる数値、およびＰＩチェック実行時の可変ＩＦフィルタ部１３０のフィルタ帯域幅が記述されている。ＩＦフィルタ選択テーブルには、ＦＭ放送信号を受信する際の可変ＩＦフィルタ部１３０のフィルタ帯域幅が記述されている。
【００２４】
図２は、ＡＦ動作選択テーブルの内容の一例を示す図である。
【００２５】
図２に示すように、ＡＦ動作選択テーブル３１０には、受信中の放送局（以下「自局」という）の希望波（以下「自局希望波」という）の電界強度３１１と、自局希望波の隣接ノイズの電界強度３１２との組み合わせごとに、ＡＦ動作を行う頻度が記述されている。
【００２６】
自局希望波の電界強度が高く、かつ、自局希望波の隣接ノイズの電界強度が低いときは、受信品質が良く代替局へ切り替える必要性は低い。一方、自局希望波の電界強度が低いときや、自局希望波の隣接ノイズの電界強度が高いときは受信品質が悪く放送の視聴に支障をきたすため、代替局へ切り替える必要がある。したがって、ＡＦ動作選択テーブル３１０では、自局希望波の電界強度が低ければ低いほど、かつ、自局希望波の隣接ノイズの電界強度が高ければ高いほど、ＡＦ動作を行う頻度を多くする。
【００２７】
例えば、自局希望波の電界強度３１１が２０ｄＢμＶ（デシベルマイクロボルト）未満であって、かつ自局希望波の隣接ノイズの電界強度３１２が３０ｄＢμＶ未満であるという条件に対応して、「１回／３００ｍｓ（ミリ秒）」が記述されている。これは、上記条件を満たすとき、３００ｍｓに１回はＡＦ動作を実行することを規定するものである。また、例えば、自局希望波の電界強度３１１が５０ｄＢμＶ以上であって、かつ自局希望波の隣接ノイズの電界強度３１２が３０ｄＢμＶ未満であるという条件に対応して、「０回」が記述されている。これは、上記条件を満たすとき、ＡＦ動作を実行しなくてもよいということを規定するものである。自局希望波の電界強度３１１が同じレベルであるにもかかわらずこのような異なる内容となっているのは、自局希望波のＦＭ放送信号の受信品質が、自局希望波の隣接ノイズの電界強度に影響を受け易いためである。
【００２８】
ＡＦ動作テーブル３１０を用いてＡＦ動作を行う頻度を決定することにより、自局希望波の受信品質に応じて、適切な頻度でＡＦ動作を実行することが可能となる。
【００２９】
図３は、ＰＩチェック選択テーブルの内容の一例を示す図である。
【００３０】
図３に示すように、ＰＩチェック選択テーブル３２０には、代替局の希望波（以下「代替局希望波」という）の電界強度３２１と代替局希望波の隣接ノイズ３２２との組み合わせごとに、ＰＩチェックを実行するか否かおよびＰＩチェック時の可変ＩＦフィルタ部１３０のフィルタ帯域幅が記述されている。
【００３１】
代替局希望波の電界強度が高く、かつ、代替局希望波の隣接ノイズの電界強度が低いときは、代替局希望波の受信品質は高い。したがって、代替局希望波の電界強度が高く、かつ、隣接ノイズの電界強度が低いときに、ＰＩチェックを実行するようにＰＩチェック選択テーブル３２０が定められる。
【００３２】
ＰＩチェックを実行する際、代替局希望波の隣接ノイズの電界強度が低いときは、可変ＩＦフィルタ部１３０のフィルタ帯域幅が広帯域となるように制御することが望ましい。マルチパスによるノイズが発生している場合、フェージングによって電界が落ち込むため、広帯域の方がＰＩコード取得率を向上させることができるからである。
【００３３】
一方、代替局希望波の隣接ノイズの電界強度が高いときは、可変ＩＦフィルタ部１３０のフィルタ帯域幅が広帯域となるように制御すると、隣接ノイズによる影響が大きくなり、ＰＩコード取得率が低下する。したがって、代替局希望波の隣接ノイズの電界強度が高いときには、隣接ノイズを除去するために、狭いフィルタ帯域幅となるようにＰＩチェック選択テーブル３２０が定められる。
【００３４】
図３に示すＰＩチェック選択テーブル３２０には、ＰＩチェック時のフィルタ帯域幅として、狭帯域、中帯域、および広帯域が定義されている。狭帯域は、例えば、代替局希望波の中心周波数に対し±６０ｋＨｚ（キロヘルツ）の幅を有する帯域である。中帯域は、例えば、代替局希望波の中心周波数に対し±約８０ｋＨｚの幅を有する帯域である。広帯域は、例えば、代替局希望波の中心周波数に対し±約１００ｋＨｚの幅を有する帯域である。
【００３５】
例えば、代替局希望波の電界強度３２１が５０ｄＢμＶ以上であって、かつ代替局希望波の隣接ノイズの電界強度３２２が３０ｄＢμＶ未満であるという条件に対応して、「○、広帯域」が記述されている。これは、上記条件を満たすとき、可変ＩＦフィルタ部１３０のフィルタ帯域幅を広帯域とした状態でＰＩチェックを行うことを規定するものである。また、例えば、代替局希望波の電界強度３２１が５０ｄＢμＶ以上であって、かつ代替局希望波の隣接ノイズの電界強度３２２が６０ｄＢμＶ以上であるという条件に対応して、「○、狭帯域」が記述されている。これは、上記条件を満たすとき、可変ＩＦフィルタ部１３０のフィルタ帯域幅を狭帯域とした状態でＰＩチェックを行うことを規定するものである。代替局希望波の電界強度３２１が同じであるにもかかわらずこのような異なる内容となっているのは、代替局希望波の隣接ノイズの電界強度が高いときには、狭帯域として隣接ノイズの帯域を除去するほうが、ＰＩコード取得率を向上させることができるためである。
【００３６】
このようなＰＩチェック選択テーブル３２０を参照することにより、代替局の放送波の受信品質に応じて、代替局への切り替えの有無および、適切なフィルタ帯域幅の選択が可能となる。
【００３７】
図４は、ＩＦフィルタ選択テーブルの内容の一例を示す図である。
【００３８】
ＩＦフィルタ選択テーブル３３０には、自局希望波の電界強度３３１と自局希望波の隣接ノイズの電界強度３３２との組み合わせごとに、ＡＦ動作が行われていないとき（以下「通常時」という）の可変フィルタ部１３０のフィルタ帯域幅が記述されている。
【００３９】
ここでは、フィルタ帯域幅の一例として、上記した狭帯域、中帯域、および広帯域に加えて、最狭帯域を定義する。最狭帯域は、例えば、自局希望波の中心周波数に対し±４０ｋＨｚ（キロヘルツ）の幅を有する帯域である。この最狭帯域は、自局希望波のうち、音声が放送されている放送波（以下「主波」という）は通過させるが、ＲＤＳデータが多重されている放送波（以下「ＲＤＳサブキャリア」という）は通過させない帯域である。なお、フィルタ帯域幅は、上記内容に限定されるものではなく、ＰＩチェック時と通常時とで異なる値を設定してもよい。
【００４０】
通常時において、自局希望波の隣接ノイズの電界強度が低いときは、前述のごとく、信号のマルチパスなどを考慮して、フィルタ帯域幅が広帯域となるように制御することが望ましい。一方、自局希望波の隣接ノイズの電界強度が高いときは、広帯域の信号を用いると、隣接ノイズによる影響が大きくなり、かえってＦＭ放送信号の受信品質が悪化することがある。したがって、ＩＦフィルタ選択テーブル３３０は、通常時において、自局希望波の隣接ノイズの電界強度が高いときには、その隣接ノイズを十分に除去できるように、狭いフィルタ帯域幅となるようにフィルタ帯域幅が定められる。
【００４１】
このようなＩＦフィルタ選択テーブル３３０を参照することにより、自局の受信品質に応じて、適切なフィルタ帯域幅を選択することが可能となる。
【００４２】
図５は、ＲＤＳデータから取得されてＲＡＭ１８０に記憶されたＡＦリストの内容の一例を示す図である。ＡＦリストは、ＲＡＭ１８０に記憶される。
【００４３】
図５に示すように、ＡＦリスト３４０には、自局希望波の中心周波数３４１、代替周波数の個数３４２、および１つまたは複数の代替周波数が記述されている。代替周波数の個数３４２は、ＡＦリスト３４０に記載された代替周波数の個数であり、以下「Ｎ」とする。代替周波数３４３は、代替局希望波の中心周波数である。自局希望波の中心周波数３４１と、代替周波数３４３とでは、同一のＰＩが取得されるはずである。
【００４４】
このようなＡＦリスト３４０を参照することにより、自局希望波の代替周波数と、その個数と、それぞれの代替周波数で受信されるべきＰＩとを取得することが可能となる。
【００４５】
図１のＣＰＵ１９０は、ＲＯＭ１７０に格納された制御プログラムの実行により、ＲＤＳ受信機１００の各部を制御し、ＲＤＳ受信機１００全体の動作を制御する。また、ＣＰＵ１９０は、ＡＦ動作を実行するか否か、およびＰＩチェック時と通常時のそれぞれでどのようなフィルタ帯域幅を可変ＩＦフィルタ部１３０に設定すべきかを、ＲＯＭ１７０に格納された各種テーブルを適宜参照して判断する。特に、ＣＰＵ１９０は、ＡＦ動作のＰＩチェック時に、図３に示すＰＩチェック選択テーブル３２０を参照し、隣接ノイズ値に応じて、ＰＩコード取得率を向上できるように可変ＩＦフィルタ部１３０のフィルタ帯域幅を変化させる。
【００４６】
ＭＰＸ復調部２００は、ＦＭ検波部１４０から出力される検波信号を復調し、Ｌ（left）側の音声信号と、Ｒ（right）側の音声信号とを出力する。
【００４７】
ミュート部２１０は、ＣＰＵ１９０の制御を受けて、ＭＰＸ復調部２００から出力される音声信号を、後述する所定の期間、音声信号の信号レベルを低減させる。
【００４８】
スピーカ部２２０は、ミュート部２１０を介して入力される音声信号を音声に変換して出力する。
【００４９】
表示装置２３０は、ＲＤＳ復調部１６０で復調されたＲＤＳデータに基づいて、受信中のＦＭ放送信号についての、周波数、放送局名、放送番組名、放送曲名などの付加情報を表示する。
【００５０】
操作部２４０は、聴きたい放送局の周波数の指定や、音声出力のレベルの調整などについて、ＲＤＳ受信機１００に対するユーザ操作を受け付ける。
【００５１】
このようなＲＤＳ受信機１００によれば、ＰＩコード取得率を向上できるように、希望波の隣接ノイズ値に応じて、ＰＩチェック時のフィルタ帯域幅を変化させることにより、良好な受信品質での放送番組の受信を継続することができる。
【００５２】
ＲＤＳ受信機１００は、動作の段階に応じて、可変ＩＦフィルタ１３０の制御（以下「可変ＩＦフィルタ制御」という）を行う。具体的には、ＲＤＳ受信機１００は、ＡＦチェック時には第１の可変ＩＦフィルタ制御を、ＰＩチェック時には第２の可変ＩＦフィルタ制御を、通常時または通常時に移行するときには第３の可変ＩＦフィルタ制御を行う。
【００５３】
ここで、第１〜第３の可変ＩＦフィルタ制御の具体的内容について、自局希望波または代替周波数、隣接ノイズ、バンドパスフィルタ部１５１のフィルタ帯域幅、および可変ＩＦフィルタ部１３０のフィルタ帯域幅の関係と併せて説明する。
【００５４】
図６は、第１の可変ＩＦフィルタ制御の内容を説明するための図である。図中、横軸は周波数を示し、縦軸は信号の電界強度を示す。
【００５５】
図６に示すように、希望波４１１の中心周波数が代替周波数ｆ１であり、代替周波数ｆ１のプラスマイナス５７ｋＨｚの２つの周波数（ｆ１＋５７ｋＨｚ、ｆ１−５７ｋＨｚ）のそれぞれを中心する帯域に、ＲＤＳデータを放送する放送波であるＲＤＳサブキャリア４１２が位置する。これは、隣接ノイズとなり得る他の放送局についても同様であり、例えば、隣接する放送局の放送波が周波数ｆ２に存在する場合、周波数ｆ２を中心とする隣接ノイズ（妨害波）４１３が発生し、周波数ｆ２のプラスマイナス５７ｋＨｚの付近にも、ＲＤＳサブキャリアによる隣接ノイズ４１３が発生する。
【００５６】
第１の可変ＩＦフィルタ制御では、ＲＤＳ受信機１００は、可変ＩＦフィルタ部１３０のフィルタ帯域幅（可変ＩＦフィルタ部１３０におけるフィルタの周波数特性）４１４を、ノイズ検出帯域を含む、ｆ１−△Ｆ０〜ｆ１＋△Ｆ０までの帯域を通過帯域とする固定のフィルタ帯域幅に設定する。また、バンドパスフィルタ部１５１のフィルタ帯域幅４１５は、ノイズ検出帯域を通過帯域とするフィルタ帯域幅に予め設定されている。
【００５７】
したがって、図６に示すように、ノイズ検出帯域が周波数Ｆａ〜周波数Ｆｂであり、周波数ｆ２が周波数Ｆａと周波数Ｆｂとの間に位置する場合には、検波信号のうち、隣接ノイズ４１３に相当する信号成分（部分４１６）が、電界強度測定部１５２に入力される。また、隣接ノイズ４１３の電界強度が高い場合には、電界強度測定部１５２に入力される信号の電界強度も高くなる。
【００５８】
通常、各放送局の周波数は、最小で１００ｋＨｚ以上離隔して設定されている。したがって、希望波の受信品質に最も大きく影響を及ぼす隣接ノイズは、周波数ｆ２＝ｆ１＋１００ｋＨｚの隣接ノイズ４１３であると考えられる。そこで、周波数ｆ２＝ｆ１＋１００ｋＨｚの隣接ノイズ４１３の周波数をノイズ検出帯域とし、△Ｆ０＝１２０ｋＨｚとすれば、希望波４１１の受信品質に大きな影響を及ぼす隣接ノイズ４１３を検出することができる。△Ｆ０、周波数Ｆａ、および周波数Ｆｂの値は、予めＲＯＭ１７０に格納されている。
【００５９】
このように、第１の可変ＩＦフィルタ制御では、隣接ノイズ値が、ノイズ検出帯域の電界強度として検出される。また、可変ＩＦフィルタ部１３０のフィルタ帯域幅は固定であるため、代替周波数の希望波の電界強度の検出が安定して行われ、切り替え先候補の電波環境が正しく把握される。
【００６０】
図７〜図９は、第２の可変ＩＦフィルタ制御の内容を説明するための図である。
【００６１】
第２の可変ＩＦフィルタ制御では、ＲＤＳ受信機１００は、図３に示すＰＩチェック選択テーブル３２０を参照し、隣接ノイズ検出部１５０で検出された隣接ノイズ値に基づいて、図３で説明した広帯域、中帯域、狭帯域のいずれかを選択する。図７〜図９は、それぞれ、広帯域が選択された場合、中帯域が選択された場合、狭帯域が選択された場合にそれぞれ対応している。
【００６２】
例えば、代替周波数の希望波４１１の電界強度が５０ｄＢμＶ以上であり、かつ、代替周波数の隣接ノイズの電界強度が３０ｄＢμＶ未満である場合、可変ＩＦフィルタ部１３０のフィルタ帯域幅４１４は、広帯域に設定される。この場合、図７に示すように、ＲＤＳ受信機１００は、可変ＩＦフィルタ部１３０のフィルタ帯域幅４１４を、ｆ１−△Ｆ１〜ｆ１＋△Ｆ１（ここでは△Ｆ１＝１００ｋＨｚ）までの帯域を通過帯域とするフィルタ帯域幅に設定する。図７からも明らかなように、隣接ノイズの電界強度が十分に低い場合には、広帯域が選択されても、隣接ノイズによる希望波４１１の受信品質の劣化はほとんど発生しない。
【００６３】
例えば、代替周波数の希望波４１１の電界強度が５０ｄＢμＶ以上であり、かつ、代替周波数の隣接ノイズの電界強度が３０ｄＢμＶ以上６０ｄＢμＶ未満である場合、可変ＩＦフィルタ部１３０のフィルタ帯域幅４１４は、中帯域に設定される。この場合、図８に示すように、ＲＤＳ受信機１００は、可変ＩＦフィルタ部１３０のフィルタ帯域幅４１４を、ｆ１−△Ｆ２〜ｆ１＋△Ｆ２（ここでは△Ｆ２＝８０ｋＨｚ）までの帯域を通過帯域とするフィルタ帯域幅に設定する。図８からも明らかなように、隣接ノイズ４１３が存在するもののその電界強度が小さい場合には、中帯域まで通過帯域を拡大するので、通過帯域をできるだけ広く確保した状態で、検波信号の隣接ノイズ４１３に相当する信号成分（部分４１７）の電界強度を低く抑えることができる。
【００６４】
例えば、代替周波数の希望波４１１の電界強度が５０ｄＢμＶ以上であり、かつ、代替周波数の隣接ノイズの電界強度が６０ｄＢμＶ以上である場合、可変ＩＦフィルタ部１３０のフィルタ帯域幅４１４は、狭帯域に設定される。この場合、図９に示すように、ＲＤＳ受信機１００は、可変ＩＦフィルタ部１３０のフィルタ帯域幅４１４を、ｆ１−△Ｆ３〜ｆ１＋△Ｆ３（ここでは△Ｆ２＝６０ｋＨｚ）までの帯域を通過帯域とするフィルタ帯域幅に設定する。図９からも明らかように、隣接ノイズ４１３の電界強度が高い場合でも、狭帯域に通過帯域を制限するので、通過帯域をできるだけ広く確保した状態で、検波信号の隣接ノイズ４１３に相当する信号成分（部分４１７）の電界強度を低く抑えることができる。
【００６５】
このように、第２の可変ＩＦフィルタ制御では、隣接ノイズ値に応じて可変ＩＦフィルタ部１３０のフィルタ帯域幅を変えることにより、隣接ノイズによる希望波４１１およびＲＤＳサブキャリア４１２による受信品質の劣化を抑えることができる。
【００６６】
図１０および図１１は、第３の可変ＩＦフィルタ制御の内容を説明するための図である。
【００６７】
第３の可変ＩＦフィルタ制御では、ＲＤＳ受信機１００は、図４に示すＩＦフィルタ選択テーブル３３０を参照し、隣接ノイズ検出部１５０で検出された隣接ノイズ値に基づいて、図４で説明した広帯域、中帯域、狭帯域、最狭帯域のいずれかを選択する。図１０および図１１は、それぞれ、広帯域が選択された場合、最狭帯域が選択された場合にそれぞれ対応している。
【００６８】
例えば、自局の希望波４１１の電界強度が５０ｄＢμＶ以上であり、かつ、自局希望波の隣接ノイズの電界強度が３０ｄＢμＶ未満である場合、可変ＩＦフィルタ部１３０のフィルタ帯域幅４１４は、広帯域に設定される。この場合、図１０に示すように、ＲＤＳ受信機１００は、可変ＩＦフィルタ部１３０のフィルタ帯域幅４１４を、ｆ１−△Ｆ４〜ｆ１＋△Ｆ４（ここでは△Ｆ４＝１００ｋＨｚ）までの帯域を通過帯域とするフィルタ帯域幅に設定する。図１０からも明らかなように、隣接ノイズの電界強度が十分に低い場合には、広帯域が選択されても、隣接ノイズによる希望波４１１の受信品質の劣化はほとんど発生しない。
【００６９】
例えば、代替周波数の希望波４１１の電界強度が５０ｄＢμＶ以上であり、かつ、代替周波数の隣接ノイズの電界強度が６０ｄＢμＶ以上である場合、可変ＩＦフィルタ部１３０のフィルタ帯域幅４１４は、最狭帯域に設定される。この場合、図１１に示すように、ＲＤＳ受信機１００は、可変ＩＦフィルタ部１３０のフィルタ帯域幅４１４を、ｆ１−△Ｆ５〜ｆ１＋△Ｆ５（ここでは△Ｆ５＝４０ｋＨｚ）までの帯域を通過帯域とするフィルタ帯域幅に設定する。図１１からも明らかなように、隣接ノイズ４１３の電界強度が高い場合でも、最狭帯域に通過帯域を制限するので、希望波４１１とそのＲＤＳサブキャリア４１２とを受信可能な通過帯域を確保した状態で、検波信号の隣接ノイズ４１３に相当する信号成分（部分４１７）の電界強度を更に低く抑えることができる。
【００７０】
このように、第３の可変ＩＦフィルタ制御では、隣接ノイズ値に応じて可変ＩＦフィルタ部１３０のフィルタ帯域幅を変えることにより、隣接ノイズによる希望波４１１の受信品質の劣化を更に抑えることができる。
【００７１】
次に、上記構成を有するＲＤＳ受信機１００の動作について説明する。
【００７２】
図１２は、ＲＤＳ受信機１００の動作の流れを示すフローチャートである。
【００７３】
まず、ステップＳ１１００で、ＣＰＵ１９０は、自装置の電源投入や操作部２４０のユーザ操作などによってＦＭ放送の視聴開始が指示されたか否かを判断し、ＦＭ放送の視聴開始を指示された場合（Ｓ１１００：ＹＥＳ）、ＣＰＵ１９０は処理をステップＳ１２００に進める。なお、ＣＰＵ１９０は、初期状態として、ミュート部２１０に対し、音声信号の信号レベルをゼロとなるよう制御する。
【００７４】
そして、ステップＳ１２００で、ＣＰＵ１９０は、最後に受信したＦＭ放送信号の周波数がＲＯＭ１７０に記憶されているので、これを読み出し、読み出した周波数を、自局希望波ｆ０とする。
【００７５】
そして、ステップＳ１３００で、ＣＰＵ１９０は、アンテナ部１１０の受信周波数を、自局希望波ｆ０にチューニングする。
【００７６】
そして、ステップＳ１４００で、ＣＰＵ１９０は、ＦＭ検波部１４０で、自局希望波ｆ０の希望波の電界強度を測定し、隣接ノイズ検出部１５０で、自局希望波ｆ０の隣接ノイズの電界強度を測定する。ＣＰＵ１９０は、測定結果を、ＲＡＭ１８０に記憶する。
【００７７】
そして、ステップＳ１５００で、ＣＰＵ１９０は、ＡＦ動作を実行するか否かを判断する。具体的には、ＣＰＵ１９０は、図２に示すＡＦ動作選択テーブル３１０を参照し、ステップＳ１４００で測定した自局希望波ｆ０の電界強度および自局希望波ｆ０の隣接ノイズの電界強度に基づいて、ＡＦ動作を実行するか否かを判断する。ＡＦ動作を実行する場合（Ｓ１５００：ＹＥＳ）、ＣＰＵ１９０は、処理をステップＳ１６００に進める。ＡＦ動作が実行されない場合（Ｓ１５００：ＮＯ）、ＣＰＵ１９０は、処理をステップＳ１７００に進める。
【００７８】
ＣＰＵ１９０は、ステップＳ１６００で、ＡＦ動作を実行する。ＡＦ動作の詳細については後述する。
【００７９】
そして、ステップＳ１７００で、ＣＰＵ１９０は、ＲＤＳ受信機１００の電源停止や操作部２４０のユーザ操作などによってＦＭ放送の視聴終了が指示されたか否かを判断する。ＦＭ放送の視聴終了を指示されていない場合（Ｓ１７００：ＮＯ）、処理をステップＳ１８００に進める。
【００８０】
ステップＳ１８００で、ＣＰＵ１９０は、操作部２４０のユーザ操作などによって視聴する放送局の変更が指示されたか否かを判断する。放送局の変更が指示されていない場合（Ｓ１８００：ＮＯ）、処理をステップ１４００に戻し、放送局の変更が指示された場合（Ｓ１８００：ＹＥＳ）、処理をステップＳ１９００に進める。これにより、電界強度の測定と、必要に応じたＡＦ動作とが繰り返される。
【００８１】
ステップＳ１９００で、ＣＰＵ１９０は、変更先として指示された放送局の周波数を新たな自局希望波ｆ０とした後、処理をステップＳ１３００に戻す。これにより、代替局の放送の視聴が開始される。
【００８２】
一方、ステップＳ１７００で、ＦＭ放送の視聴終了を指示された場合（Ｓ１７００：ＹＥＳ）、ＣＰＵ１９０は、処理をステップＳ２０００に進める。
【００８３】
ステップＳ２０００で、ＣＰＵ１９０は、最後に受信したＦＭ放送信号の周波数をＲＯＭ１７０に記憶させ、一連の処理を終了する。
【００８４】
図１３は、ＡＦ動作の流れを示すフローチャートであり、図１２のステップＳ１６００に対応するものである。
【００８５】
まず、ステップ１６０１で、ＣＰＵ１９０は、ミュート部２１０で、音声信号の信号レベルをユーザが聴覚で認識できないレベルまで減少させ、出力音声をミュートする。
【００８６】
そして、ステップＳ１６０２で、ＣＰＵ１９０は、自局のＡＦリストの取得を試み、取得したＡＦリストに代替周波数が記述されているか否かを判断する。自局のＡＦリストを取得することができ、かつ取得することができたＡＦリストに代替周波数が記述されている場合には（Ｓ１６０２：ＹＥＳ）、ＣＰＵ１９０は、処理をステップＳ１６０３に進める。なお、ＡＦリストの取得は、例えば、該当するＡＦリストがＲＯＭ１７０に格納されている場合にはＲＯＭ１７０読み出し、該当するＡＦリストがＲＯＭ１７０に格納されていない場合には、ＲＤＳ復調部１６０でＲＤＳデータから抽出して行うようにすればよい。ＣＰＵ１９０は、ＲＤＳデータからＡＦリストを取得するごとに、その取得したＡＦリストをＲＯＭ１７０に格納することが望ましい。
【００８７】
ステップＳ１６０３で、ＣＰＵ１９０は、ＡＦリストの代替周波数の何番目を処理対象としているかを示す変数Ｌの初期値に、値「０」を設定する。
【００８８】
そして、ステップＳ１６０４で、ＣＰＵ１９０は、ＡＦリストのＬ番目の代替周波数を、処理対象となっている代替周波数ｆ１とする。
【００８９】
そして、ステップＳ１６０５で、ＣＰＵ１９０は、図６で説明した第１の可変ＩＦフィルタ制御を行う。すなわち、ＣＰＵ１９０は、可変ＩＦフィルタ部１３０のフィルタ帯域幅を、代替周波数の隣接ノイズ値を検出できるように設定する。
【００９０】
そして、ステップＳ１６０６で、ＣＰＵ１９０は、アンテナ部１１０の受信周波数を、代替周波数ｆ１にチューニングする。
【００９１】
そして、ステップＳ１６０７で、ＣＰＵ１９０は、代替周波数ｆ１の希望波の電界強度を測定し、隣接ノイズ検出部１５０で、代替周波数ｆ１の隣接ノイズの電界強度を測定する。ＣＰＵ１９０は、測定結果を、ＲＡＭ１８０に記憶させる。
【００９２】
ステップＳ１６０８で、ＣＰＵ１９０は、代替周波数ｆ１の代替局に切り替えるか否かの判断であるＡＦチェックを行う。具体的には、ＣＰＵ１９０は、図３に示すＰＩチェック選択テーブルを参照し、ステップＳ１６０７で測定した代替周波数ｆ１の電界強度および代替周波数ｆ１の隣接ノイズの電界強度に基づいて、ＰＩチェックを行うか否かを判断する。ＣＰＵ１９０は、ＰＩチェックを行わないと判断した場合、つまり代替周波数ｆ１の受信に切り替えないと判断した場合（Ｓ１６０８：ＮＯ）、処理をステップＳ１６０９に進める。
【００９３】
ステップＳ１６０９で、ＣＰＵ１９０は、変数Ｌが、ＡＦリストに記述された代替周波数の個数Ｎを超えたか否か、つまり未処理の代替周波数が存在するか否かを判断する。変数Ｌが個数Ｎをまだ超えていない場合は（Ｓ１６０９：ＮＯ）、ＣＰＵ１９０は、処理をステップＳ１６１０に進める。
【００９４】
ステップＳ１６１０で、ＣＰＵ１９０は、変数Ｌを値１だけ増加させた後、処理をステップＳ１６０４に戻す。これにより、切り替え先が決定していないものの切り替え先の候補が残っている間は、ＡＦリストに記述された代替周波数に対して順にＡＦチェックが行われる。
【００９５】
一方、ＰＩチェックを行うと判断された場合、つまり代替周波数ｆ１の受信に切り替えると判断された場合（Ｓ１６０８：ＹＥＳ）、ＣＰＵ１９０は、処理をステップＳ１６１１に進める。
【００９６】
ステップＳ１６１１で、ＣＰＵ１９０は、図７〜図９で説明した第２の可変ＩＦフィルタ制御を行う。すなわち、ＣＰＵ１９０は、隣接ノイズ値に応じて、可変ＩＦフィルタ部１３０のフィルタ帯域幅を、隣接ノイズによる代替周波数ｆ１の受信品質の劣化を抑えられるように設定する。
【００９７】
そして、ＣＰＵ１９０は、ステップＳ１６１２で、代替周波数ｆ１のＦＭ放送信号からＰＩコードを取得後、取得したＰＩコードが、ＡＦリストに記述された自局希望波のＰＩコードと一致するか否かの判断であるＰＩチェックを行う。ＰＩコードを取得することができないか、取得することができてもその取得したＰＩコードとＡＦリストのＰＩコードとが一致しない場合（Ｓ１６１２：ＮＯ）、ＣＰＵ１９０は、処理をステップＳ１６０９に進める。これにより、他の切り替え先候補への処理に移行することができる。一方、ＰＩコードを取得することができ、かつその取得したＰＩコードとＡＦリストのＰＩコードとが一致する場合（Ｓ１６１２：ＹＥＳ）、ＣＰＵ１９０は、処理をステップＳ１６１３に進める。
【００９８】
ステップＳ１６１３で、ＣＰＵ１９０は、図１０および図１１で説明した第３の可変ＩＦフィルタ制御を行う。すなわち、ＣＰＵ１９０は、隣接ノイズ値に応じて、可変ＩＦフィルタ部１３０のフィルタ帯域幅を、隣接ノイズによる代替周波数ｆ１の受信品質の劣化を抑えられるように設定する。
【００９９】
そして、ステップＳ１６１４で、ＣＰＵ１９０は、ミュート部２１０に対し、音声信号の信号レベルをユーザが聴覚で認識できるレベルまで増大させるように制御する。
【０１００】
一方、変数ＬがＡＦリストに記述された代替周波数の個数Ｎを超えた場合、つまり切り替え先が最終的に決定されなかった場合（Ｓ１６０９：ＹＥＳ）、ＣＰＵ１９０は、処理をステップＳ１６１５に進める。
【０１０１】
ステップ１６１５で、ＣＰＵ１９０は、自局希望波について、ステップ１６１３と同様に第３の可変ＩＦフィルタ制御を行い、可変ＩＦフィルタ部１３０のフィルタ帯域幅を、隣接ノイズによる自局希望波ｆ０の受信品質の劣化を抑えられるように変更する。
【０１０２】
そして、ステップＳ１６１６で、ＣＰＵ１９０は、アンテナ部１１０の受信周波数を、自局希望波ｆ０にチューニングし直し、ステップＳ１６１４へ進む。
【０１０３】
また、自局のＡＦリストを取得することができない場合、または取得したＡＦリストに代替周波数が記述されていない場合には（Ｓ１６０２：ＮＯ）、ＣＰＵ１９０は、そのままステップＳ１６１４に進む。
【０１０４】
このようにして、ＣＰＵ１９０は、ＰＩコード取得率を向上できるように、可変ＩＦフィルタ部１３０のフィルタ帯域幅を変化させる。
【０１０５】
以下、本実施の形態に係るＲＤＳ受信機１００を用いることによって、ＰＩ取得率が向上することを示す実験データについて説明する。
【０１０６】
図１４は、隣接ノイズの種類および可変ＩＦフィルタ部１３０のフィルタ帯域幅と、ＰＩ取得率との関係を示す図である。図中、横軸は可変ＩＦフィルタ部１３０のフィルタ帯域幅を示し、縦軸はＰＩ取得率を示す。線５１０は、マルチパスを原因とするノイズがある場合の、ＰＩ取得率である。線５２０は、隣接ノイズがある場合の、ＰＩ取得率である。
【０１０７】
図１４に示すように、マルチパスによるノイズがある場合、ＩＦフィルタ帯域幅が広くなればなるほど、ＰＩ取得率は高くなる。このとき、可変ＩＦフィルタ部１３０のフィルタ帯域幅は広帯域（ｆ１±△Ｆ１）に設定される。
【０１０８】
また、隣接ノイズがある場合、ＩＦフィルタ帯域幅が狭くなればなるほど、ＰＩ取得率は高くなる。このとき、可変ＩＦフィルタ部１３０のフィルタ帯域幅は狭帯域（ｆ１±△Ｆ３）に設定される。
【０１０９】
このように、本実施の形態に係るＲＤＳ受信機１００は、マルチパスによるノイズがある場合、および、隣接ノイズがある場合のいずれであっても、ＰＩ取得率を向上させることができることがわかる。
【０１１０】
以上説明したように、本実施の形態に係るＲＤＳ受信機１００によれば、代替局のＲＤＳデータを取得するとき、その代替周波数の隣接ノイズ値に応じて、可変ＩＦフィルタ部１３０のフィルタ帯域幅を変化させるので、隣接ノイズが存在する場合でも、ＰＩ取得率を向上させることができる。
【０１１１】
なお、隣接ノイズの検出は、検波信号ではなくフィルタ出力信号を用いて行うようにしてもよい。また、ノイズ検出帯域は、希望波の高周波側と低周波側の両方に設定してもよい。
【産業上の利用可能性】
【０１１２】
本発明に係るＲＤＳ受信機は、隣接ノイズが存在する場合でも、ＰＩ取得率を向上させることができるＲＤＳ受信機として有用である。
【図面の簡単な説明】
【０１１３】
【図１】本発明の一実施の形態に係るＲＤＳ受信機の構成を示すシステム構成図
【図２】本実施の形態におけるＡＦ動作選択テーブルの内容の一例を示す図
【図３】本実施の形態におけるＰＩチェック選択テーブルの内容の一例を示す図
【図４】本実施の形態におけるＩＦフィルタ選択テーブルの内容の一例を示す図
【図５】本実施の形態におけるＡＦリストの内容の一例を示す図
【図６】本実施の形態における第１の可変ＩＦフィルタ制御の内容を説明するための図
【図７】本実施の形態における広帯域が選択された場合の第２の可変ＩＦフィルタ制御の内容を説明するための図
【図８】本実施の形態における中帯域が選択された場合の第２の可変ＩＦフィルタ制御の内容を説明するための図
【図９】本実施の形態における狭帯域が選択された場合の第２の可変ＩＦフィルタ制御の内容を説明するための図
【図１０】本実施の形態における広帯域が選択された場合の第３の可変ＩＦフィルタ制御の内容を説明するための図
【図１１】本実施の形態における最狭帯域が選択された場合の第３の可変ＩＦフィルタ制御の内容を説明するための図
【図１２】本実施の形態におけるＲＤＳ受信機の動作の流れを示すフローチャート
【図１３】本実施の形態におけるＡＦ動作の流れを示すフローチャート
【図１４】本実施の形態におけるフィルタ帯域幅とＰＩ取得率との関係を示す図
【符号の説明】
【０１１４】
１００  ＲＤＳ受信機
１１０  アンテナ部
１２０  フロントエンド部
１３０  可変ＩＦフィルタ部
１４０  ＦＭ検波部
１５０  隣接ノイズ検出部
１５１  バンドパスフィルタ部
１５２  電界強度測定部
１６０  ＲＤＳ復調部
１７０  ＲＯＭ
１８０  ＲＡＭ
１９０  ＣＰＵ
２００  ＭＰＸ復調部
２１０  ミュート部
２２０  スピーカ部
２３０  表示装置
２４０  操作部
【図１】
2009200951.tif 000003
【図２】
2009200951.tif 000004
【図３】
2009200951.tif 000005
【図４】
2009200951.tif 000006
【図５】
2009200951.tif 000007
【図６】
2009200951.tif 000008
【図７】
2009200951.tif 000009
【図８】
2009200951.tif 000010
【図９】
2009200951.tif 000011
【図１０】
2009200951.tif 000012
【図１１】
2009200951.tif 000013
【図１２】
2009200951.tif 000014
【図１３】
2009200951.tif 000015
【図１４】
2009200951.tif 000016